(57)【特許請求の範囲】
【請求項１】
媒体の表面を光学的に読み取ることにより画像情報を生成する画像情報生成手段と、
前記生成された画像情報に基づいて、前記媒体の表面に表された紋様情報を取得する紋様情報取得手段と、
前記生成された画像情報に基づいて、前記媒体の地色情報を取得する地色情報取得手段と、
前記取得された地色情報に応じて、前記画像情報生成手段を第１の態様または第２の態様で動作させるよう制御する動作態様制御手段と、を含み、
前記第１の態様により生成された画像情報に含まれる前記紋様情報の情報量は、前記第２の態様により生成された画像情報に含まれる前記紋様情報の情報量よりも少なく、
前記動作態様制御手段は、前記取得された地色情報が予め定められた基準値以下の濃淡値を有する場合には、前記第１の態様により、前記画像情報生成手段を動作させるとともに、
前記紋様情報取得手段は、前記第１の態様により生成された画像情報に基づいて前記紋様情報を取得する、
ことを特徴とする画像処理装置。
【請求項２】
前記動作態様制御手段は、前記取得された地色情報が予め定められた基準値より大きい濃淡値を有する場合には、前記第２の態様により、前記画像情報生成手段を動作させるとともに、
前記紋様情報取得手段は、前記第２の態様により取得された画像情報に基づいて前記紋様情報を取得する、
ことを特徴とする請求項１記載の画像処理装置。
【請求項３】
前記画像情報は、デバイス依存色空間における画像情報であって、
前記紋様情報取得手段は、前記デバイス依存色空間における画像情報から前記紋様情報を取得することを特徴とする請求項１または２記載の画像処理装置。
【請求項４】
前記画像情報生成手段は、
照明手段と、
前記照明手段により照明される照明光の光量を制御する照明光制御手段と、
前記照明光により照射された前記媒体の表面における反射光を電気信号に変換する撮像手段と、
前記電気信号を量子化する量子化手段と、を含み、
前記照明光制御手段は、前記第２の態様における照明光の光量を、前記第１の態様における照明光の光量よりも少なくするよう制御することを特徴とする請求項１乃至３のいずれかに記載の画像処理装置。
【請求項５】
前記画像情報生成手段は、
前記媒体の表面における反射光を電気信号に変換する撮像手段と、
前記撮像手段をゲイン調整するゲイン調整手段と、
前記撮像手段をオフセット調整するオフセット調整手段と、
前記電気信号を量子化する量子化手段と、を含み、
前記ゲイン調整手段及び前記オフセット調整手段は、前記第２の態様におけるゲイン調整値及びオフセット調整値を、前記第１の態様におけるゲイン調整値及びオフセット調整値よりも大きい値に設定することを特徴とする請求項１乃至３のいずれかに記載の画像処理装置。
【請求項６】
前記画像情報生成手段は、
前記媒体の表面における反射光を電気信号に変換する撮像手段と、
前記電気信号を量子化する量子化手段と、
前記量子化手段からの画像情報に画像処理を行う画像処理手段と、を含み、
前記画像情報生成手段は、前記第１の態様で動作するよう制御されている場合には、前記処理が行われた画像情報を出力し、前記第２の態様で動作するよう制御されている場合には、前記量子化手段からの画像情報を出力することを特徴とする請求項１乃至３のいずれかに記載の画像処理装置。
【請求項７】
媒体の表面を光学的に読み取ることにより生成された画像情報に基づいて、前記媒体の表面に表された紋様情報を取得する紋様情報取得手段、
前記生成された画像情報に基づいて、前記媒体の地色情報を取得する地色情報取得手段、及び、
前記取得された地色情報に応じて、前記媒体の表面を光学的に読み取ることにより画像情報を生成する画像情報生成手段を第１または第２の態様で動作させるよう制御する動作態様制御手段、としてコンピュータを機能させるための画像処理プログラムであって、
前記第１の態様により生成された画像情報に含まれる前記紋様情報の情報量は、前記第２の態様により生成された画像情報に含まれる前記紋様情報の情報量よりも少なく、
前記動作態様制御手段は、前記取得された地色情報が予め定められた基準値以下の濃淡値を有する場合には、前記第１の態様により、前記画像情報生成手段を動作させるとともに、
前記紋様情報取得手段は、前記第１の態様により生成された画像情報に基づいて前記紋様情報を取得する、
ことを特徴とする画像処理プログラム。
【発明の詳細な説明】
【技術分野】
【０００１】
本発明は、画像処理装置及び画像処理プログラムに関する。
【背景技術】
【０００２】
媒体の表面に現れる紋様（紋様情報）を検出し、当該紋様情報により、媒体の原本性を認証する画像処理装置が知られている。具体的には、例えば、下記特許文献１には、媒体の表面を光学的に読み取り電気信号に変換して出力するイメージセンサからの当該電気信号を、２のゲイン調整及びＡＤ変換部に並列に入力し、一方のゲイン調整及びＡＤ変換部を、紋様の抽出に最適な輝度信号を出力するように最適化するとともに、他方のゲイン調整及びＡＤ変換部を媒体の表面に表された画像や文字の抽出に最適な輝度信号を出力するように最適化する画像処理装置が開示されている。
【先行技術文献】
【特許文献】
【０００３】
【特許文献１】特開２００９−５３１２号公報
【発明の概要】
【発明が解決しようとする課題】
【０００４】
通常のコピーやスキャン操作、つまり、媒体の表面に現わされた画像や文字を読み取るための読み取り部の走査（通常の走査）により紋様情報が取得された場合には、紋様情報取得のための読み取り部の走査が不要となる画像処理装置及び画像処理プログラムを提供することを目的とする。
【課題を解決するための手段】
【０００５】
本発明の請求項１に記載の画像処理装置は、媒体の表面を光学的に読み取ることにより画像情報を生成する画像情報生成手段と、前記生成された画像情報に基づいて、前記媒体の表面に表された紋様情報を取得する紋様情報取得手段と、前記生成された画像情報に基づいて、前記媒体の地色情報を取得する地色情報取得手段と、前記取得された地色情報に応じて、前記画像情報生成手段を第１または第２の態様で動作させるよう制御する動作態様制御手段と、を含み、前記第１の態様により生成された画像情報に含まれる前記紋様情報の情報量は、前記第２の態様により生成された画像情報に含まれる前記紋様情報の情報量よりも少なく、前記動作態様制御手段は、前記取得された地色情報が予め定められた基準値以下の濃淡値を有する場合には、前記第１の態様により、前記画像情報生成手段を動作させるとともに、前記紋様情報取得手段は、前記第１の態様により生成された画像情報に基づいて前記紋様情報を取得する、ことを特徴とする。
【０００６】
請求項２に記載の画像処理装置は、請求項１に記載の画像処理装置において、前記動作態様制御手段は、前記取得された地色情報が予め定められた基準値より大きい濃淡値を有する場合には、前記第２の態様により、前記画像情報生成手段を動作させるとともに、前記紋様情報取得手段は、前記第２の態様により取得された画像情報に基づいて前記紋様情報を取得する、ことを特徴とする。
【０００７】
請求項３に記載の画像処理装置は、請求項１または２に記載の画像処理装置において、前記画像情報は、デバイス依存色空間における画像情報であって、前記紋様情報取得手段は、前記デバイス依存色空間における画像情報から前記紋様情報を取得することを特徴とする。
【０００８】
請求項４に記載の画像処理装置は、請求項１乃至３のいずれかに記載の画像処理装置において、前記画像情報生成手段は、照明手段と、前記照明手段により証明される照明光の光量を制御する照明光制御手段と、前記照明光により照射された前記媒体の表面における反射光を電気信号に変換する撮像手段と、前記電気信号を量子化する量子化手段と、を含み、前記照明光制御手段は、前記第１の態様における照明光の光量を、前記第２の態様における照明光の光量よりも少なくするよう制御することを特徴とする。
【０００９】
請求項５に記載の画像処理装置は、請求項１乃至３のいずれかに記載の画像処理装置において、前記画像情報生成手段は、前記媒体の表面における反射光を電気信号に変換する撮像手段と、前記撮像手段をゲイン調整するゲイン調整手段と、前記撮像手段をオフセット調整するオフセット調整手段と、前記電気信号を量子化する量子化手段と、を含み、前記ゲイン調整手段及び前記オフセット調整手段は、前記第１の態様におけるゲイン調整値及びオフセット調整値を、前記第２の態様におけるゲイン調整値及びオフセット調整値よりも大きい値に設定することを特徴とする。
【００１０】
請求項６に記載の画像処理装置は、請求項１乃至３のいずれかに記載の画像処理装置において、前記画像情報生成手段は、前記媒体の表面における反射光を電気信号に変換する撮像手段と、前記電気信号を量子化する量子化手段と、前記量子化手段からの画像情報から、予め定められた基準値以上の濃淡値を有する画像情報を削除する処理を行う画像処理手段と、を含み、前記画像情報生成手段は、前記第２の態様で動作するよう制御されている場合には、前記処理が行われた画像情報を出力し、前記第２の態様で動作するよう制御されている場合には、前記量子化手段からの画像情報を出力することを特徴とする。
【００１１】
請求項７に記載の画像処理プログラムは、媒体の表面を光学的に読み取ることにより生成された画像情報に基づいて、前記媒体の表面に表された紋様情報を取得する紋様情報取得手段、前記生成された画像情報に基づいて、前記媒体の地色情報を取得する地色情報取得手段、及び、前記取得された地色情報に応じて、前記画像情報生成手段を第１または第２の態様で動作させるよう制御する動作態様制御手段、としてコンピュータを機能させるための画像処理プログラムであって、前記第１の態様により生成された画像情報に含まれる前記紋様情報の情報量は、前記第２の態様により生成された画像情報に含まれる前記紋様情報の情報量よりも少なく、前記動作態様制御手段は、前記取得された地色情報が予め定められた基準値以下の濃淡値を有する場合には、前記第１の態様により、前記画像情報生成手段を動作させるとともに、前記紋様情報取得手段は、前記第１の態様により生成された画像情報に基づいて前記紋様情報を取得する、ことを特徴とする。
【発明の効果】
【００１２】
請求項１、７に記載の発明によれば、通常のコピーやスキャン操作、つまり、媒体の表面に現わされた画像や文字を読み取るための読み取り部の走査（通常の走査）により紋様情報が取得された場合には、紋様情報取得のための読み取り部の走査が不要となる。
【００１３】
請求項２に記載の発明によれば、通常の走査により紋様情報を取得できる可能性が低い場合には、通常モードにおいて読み取り部で生成される画像情報よりも紋様情報を多く含む画像情報から紋様情報が取得される。
【００１４】
請求項３に記載の発明によれば、非デバイス依存色空間における画像情報から紋様情報を取得する場合と比べ、より多くの紋様情報を含む画像情報から紋様情報が取得される。
【００１５】
請求項４に記載の発明によれば、通常モードで生成される電気信号よりも紋様情報を多く含む電気信号が量子化手段に入力される。
【００１６】
請求項５に記載の発明によれば、通常モードで生成される電気信号よりも紋様情報を多く含む電気信号が量子化手段に入力されるよう電気的に調整される。
【００１７】
請求項６に記載の発明によれば、紋様情報を取得する態様で読み取り部が動作するよう制御される際に、当該画像処理部での処理に基づく紋様情報の削除が防止される。
【図面の簡単な説明】
【００１８】
【図１】本発明の実施の形態における画像処理装置の構成の概要について説明するための図である。
【図２】本発明の実施の形態における読み取り部の構成を説明するための図である。
【図３】本発明の実施の形態における読み取り部及び制御部の構成を説明するための図である。
【図４】通常モードの際に、ＡＤ変換回路から出力される輝度信号の値と紋様情報の情報量との関係を示す図である。
【図５】紋様情報取得モードの際に、ＡＤ変換回路から出力される輝度信号の値と紋様情報の情報量との関係を示す図である。
【図６】サンプリング領域の一例を示す図である。
【図７】本実施の形態における紋様取得の処理のフローについて説明するための図である。
【図８】本発明の変形例における読み取り部の構成を説明するための図である。
【図９】画像読み取り回路からの出力電気信号の有する電圧値と紋様情報の情報量との関係を説明するための図である。
【発明を実施するための形態】
【００１９】
以下、本発明の実施形態について、図面を参照しつつ説明する。なお、図面については、同一又は同等の要素には同一の符号を付し、重複する説明は省略する。
【００２０】
図１は、本発明の実施の形態における画像処理装置１００の構成の概要について説明するための図である。本実施の形態における画像処理装置１００は、例えば、コピー機能やスキャン機能等を有する複合機であって、図１に示すように、例えば、制御部１０１、記憶部１０２、操作部１０３、表示部１０４、読み取り部１０５、プリンタ部１０６、通信部１０７を有する。なお、各部１０１乃至１０７は、内部バス１０９により互いに接続される。
【００２１】
制御部１０１は、例えば、ＭＰＵであって、記憶部１０２に格納されたプログラムに従って動作する。記憶部１０２は、例えば、ＲＯＭやＲＡＭ、ハードディスク等の情報記録媒体で構成され、制御部１０１によって実行されるプログラムを保持する情報記録媒体である。また、記憶部１０２は、制御部１０１のワークメモリとしても動作する。
【００２２】
なお、当該プログラムは、例えば、ネットワークを介して、ダウンロードされて提供されてもよいし、または、ＣＤ−ＲＯＭやＤＶＤ−ＲＯＭ等のコンピュータで読み取り可能な各種の情報記録媒体によって提供されてもよい。
【００２３】
操作部１０３は、例えば、複数のボタンや後述する表示部１０４に表示されたタッチパネル等のインターフェースで構成され、ユーザーの指示操作に応じて、当該指示操作の内容を制御部１０１に出力する。表示部１０４は、例えば、液晶ディスプレイ、有機ＥＬディスプレイ等であって、制御部１０１からの指示に従い、情報を表示する。
【００２４】
プリンタ部１０６は、例えば、ユーザーの指示により、読み取り部１０５により取得された画像や記憶部１０２に記憶された画像を印刷する。通信部１０７は、当該画像処理装置１００を、ネットワーク１０８を介して他の画像処理装置１００Ａと接続する。
【００２５】
なお、他の画像処理装置１００Ａは、画像処理装置１００と同様の構成を有する複合機であってもよいし、ＣＰＵやメモリ等で構成されるいわゆるパーソナルコンピュータ等であってもよい。
【００２６】
読み取り部１０５は、後述する搬送部２０１により移動させられる媒体の表面を後述する撮像センサでスキャンすることにより、媒体の表面の画像を読み取る。具体的には、読み取り部１０５は、媒体の表面に表された文字または画像等を読み取る。このとき、媒体の表面に現れる紋様、例えば、媒体を形成する繊維の紋様や媒体の表面の微小なクラックや材料の微粒子等によって形成される紋様も読み取られる。なお、媒体は、原稿用紙の他、プラスティック基板等であってもよい。
【００２７】
次に、読み取り部１０５の構成について説明する。図２は、読み取り部１０５の構成を説明するための図である。図２に示すように、読み取り部１０５は、搬送部２０１、コンタクトガラス２０２、第１乃至第３のミラー２０３乃至２０５、レンズ２０６、撮像センサ２０７、光源２０８を有する。
【００２８】
搬送部２０１は、引き込みローラ２０９、搬送ローラ２１０、排出ローラ２１１を有する。引き込みローラ２０９は、例えば、操作部１０３へのユーザーからの指示に従い、媒体２１２（例えば、原稿用紙）を１枚ずつ、搬送ローラ２１０に移動する。搬送ローラ２１０は、コンタクトガラス２０２上に、媒体２１２を移動する。
【００２９】
このとき、媒体２１２の表面が、読み取りライン２１４で、撮像センサ２０７により読み取られる。具体的には、媒体２１２からの反射光が第１乃至第３のミラー２０３乃至２０５、及びレンズ２０６を介して、撮像センサ２０７上に結像されることにより、撮像センサ２０７は、媒体２１２の表面の画像を取得する。
【００３０】
なお、当該反射光は、光源２０８から媒体２１２に照射された照射光の媒体２１２表面における反射光であることはいうまでもない。また、撮像センサ２０７は、例えば、フォトダイオード等の受光セル（画素）が直線状に配列されて形成されるＣＣＤ(Charge Coupled Device)リニアセンサである。
【００３１】
なお、読み取り部１０５の構成は上記に限定されず、上記実施の形態で示した構成と実質的に同一の構成、同一の作用効果を奏する構成又は同一の目的を達成することができる構成で置き換えてもよい。例えば、２の撮像センサを有し、２の読み取りラインで媒体２１２の表面を読み取る構成であってもよい。また、上記においては、媒体２１２の移動中に媒体２１２の表面が読み取られる構成としたが、撮像センサ２０７が媒体２１２の表面を走査することにより、媒体２１２の表面が読み取られる構成としてもよい。
【００３２】
次に、読み取り部１０５及び制御部１０１の構成について説明する。図３は、読み取り部１０５及び制御部１０１の構成を説明するための図である。図３に示すように、読み取り部１０５及び制御部１０１は、照明光制御回路３０１、画像読み取り回路３０２、ＡＤ変換回路３０３、画像処理部３０４、読み取り制御部３０５、地色情報取得部３０６、紋様情報取得部３０７、出力部３０８、照合部３０９、を有する。
【００３３】
照明光制御回路３０１は、例えば、読み取り部１０５の動作態様に応じて、光源２０８に供給する電流等を制御し、光源２０８から媒体の表面に照射される照明光の光量を制御する。なお、読み取り部１０５の動作態様は、例えば、通常のコピーやスキャン操作、つまり、媒体の表面に現わされた画像や文字を読み取る際に使用される通常モードと、媒体の表面に現わされた紋様をよみとるための紋様情報取得モードを含む。そして、後述する読み取り制御部３０５からの制御信号に応じて、照明光制御回路３０１は、紋様情報取得モードにおける照明光の光量が通常モードにおける照明光の光量よりも少なくなるように制御する。なお、光量を少なくすることにより、画像情報にノイズが多くなる場合は、例えば画像処理部３０４が平滑化処理などのノイズを除去する処理を行うように構成してもよい。また、この場合、例えば、読み取り部１０５の画像読み取り回路３０２のゲインやオフセットを調整することにより、読み取り部１０５の媒体の読み取りの感度を調整するように構成してもよい。
【００３４】
画像読み取り回路３０２は、例えば、撮像センサ２０７及び増幅回路（図示なし）を含む。撮像センサ２０７は、光源２０８からの照明光の媒体の表面での反射光を電気信号（アナログ信号）に変換し、増幅回路は、当該変換された電気信号を当該増幅回路により増幅してＡＤ変換回路３０３に出力する。
【００３５】
ＡＤ変換回路３０３は、当該画像読み取り回路３０２から出力される電気信号を量子化する。具体的には、例えば、当該電気信号を８ビット（０から２５５）の階調レベルで表される輝度信号に変換する。
【００３６】
ここで、上記回路の動作について具体的に説明する。図４は、通常モードの際に、ＡＤ変換回路から出力される輝度信号の値と紋様情報の情報量との関係を示す図である。また、図５は、紋様情報取得モードの際に、ＡＤ変換回路から出力される輝度信号の値と紋様情報の情報量との関係を示す図である。図４及び図５において、縦軸が、輝度信号の信号値（０から２５５の値）を示し、横軸が、紋様情報の情報量を示す。
【００３７】
例えば、通常モードの際に出力される輝度信号のうち、紋様情報に相当する部分は、図４に示すように、例えば、輝度信号の信号値０から２５５の狭い範囲（例えば、２００−２５０の範囲等）に、輝度信号が媒体の地色に相当する値を有する付近を中心に正規分布する。紋様情報取得モードの際には、照明光の光量が通常モードの際の照明光の光量よりも少なく制御され、紋様情報の情報量をより多く含む出力電気信号が量子化される。よって、紋様情報取得モードの際には、例えば、図５に示すように、図４の場合と比べ、紋様情報は大きな凹凸を有する輝度信号、つまり、輝度信号の信号値０から２５５の広い範囲（例えば、５０の２５０の範囲等）に輝度信号として現れる。いいかえれば、通常モードにおける輝度信号に含まれる紋様情報の情報量は、紋様情報取得モードにおける輝度信号に含まれる紋様情報の情報量よりも少ない。
【００３８】
また、図３に示すように、画像処理部３０４は、種々の画像処理を行う。例えば、読み取り部１０５の走査に起因するいわゆるかぶり（例えば、ドット状のノイズ）を除去する処理や、予め定められた輝度値以上の画像情報を非デバイス依存色空間における画像情報に変換する処理、画像情報の拡大や縮小、色補正等である。なお、当該画像処理は、例えば、ユーザーにより指定されてもよいし、あらかじめ設定されていてもよい。また、当該画像処理部３０４は、ハードウェアで構成されてもよいし、ソフトウェアで処理されるよう構成しもよい。更に、当該画像処理部３０４の一部の処理は、ハードウェアで処理されるよう構成され、その他の処理はソフトウェア（制御部１０１の処理に相当）で処理されるよう構成してもよい。
【００３９】
読み取り制御部３０５は、後述する地色情報取得部３０６からの地色情報に応じて、読み取り部１０５の動作態様を制御する。具体的には、上記輝度値が予め定められた基準値以下である場合には、読み取り部１０５を通常モードで動作させ、一方、上記輝度値が予め定められた基準値より大きい場合には、読み取り部１０５を紋様情報取得モードで動作させるよう制御する。より具体的には、本実施の形態においては、上述のように、光源２０８からの照明光の光量が、紋様情報取得モードと通常モードで異なるよう照明制御回路を制御する。
【００４０】
地色情報取得部３０６は、読み取り部１０５で生成された画像情報に基づいて、媒体の地色情報を取得する。ここで、地色情報とは、媒体の地色（下地の色）に相当する部分、つまり、媒体の表面のうち文字や画像を含まない部分、の情報であって、例えば、当該部分の輝度信号の輝度値（色の濃淡値）である。具体的には、例えば、媒体全体を読み取り部１０５でプリスキャン（本来の画像読み取りの前に、予め本来の画像読み取り（通常モードに相当）よりも速い速度で行う読み込む動作）し、当該プリスキャンによって生成された画像情報の輝度値の統計値を算出し、当該統計値に基づいて算出される輝度値を媒体の地色に相当する輝度値として取得してもよい。または、例えば、媒体の隅の領域等、通常画像や文字がない部分（サンプリング領域）の輝度信号の輝度値の平均値に基づいて算出される輝度値を媒体の地色に相当する輝度値として取得してもよい。また、図６に示すような媒体の先端部の一部の領域（サンプリング領域）６０１から取得された画像情報に基づいて、地色情報を取得する場合には、その後に行われる通常モードまたは紋様情報取得モードでの画像情報の取得を連続して行うようにしてもよい。
【００４１】
紋様情報取得部３０７は、読み取り制御部３０５からの指示に応じ、読み取り部１０５で生成された画像情報に基づいて紋様情報を取得する。このとき、非デバイス依存色空間における画像情報より多くの紋様情報を含むデバイス依存色空間における画像情報に基づいて、紋様情報を取得してもよい。
【００４２】
出力部３０８は、上記読み取り部１０５からの画像情報または取得された紋様情報を、ユーザーの操作指示に応じて、各部（例えば、記憶部１０２、プリンタ部１０６等）に出力する。例えば、ユーザーの指示がコピーである場合には、当該画像情報をプリンタ部１０６へ出力し、プリンタ部１０６は当該画像情報を印刷する。また、ユーザーの指示が紋様情報の登録である場合には、例えば、当該紋様情報を記憶部１０２やネットワーク１０８を介して、外部のデータベース等に記憶する。
【００４３】
照合部３０９は、例えば、ユーザーの指示が照合である場合、紋様情報取得部３０７で取得された紋様情報と対応する媒体の既に登録された紋様情報との照合を行い、当該結果につき、当該媒体の原本性についての情報を表示部１０４に表示する。具体的には、例えば、特許第４１０３８２６号公報に記載されているように、登録された紋様情報と照合紋様情報の相関値が、予め設定された基準値以上であるか否かに基づき、媒体の原本性を確認する。なお、当該処理の詳細については、周知であるため、詳細な説明は省略する。また、対応する媒体の紋様情報は、例えば、外部のデータベース（図示なし）に記憶されており、ネットワーク１０８を介して取得される。
【００４４】
また、照合結果は、例えば、照合対象の媒体が原本であると照合された場合には、「原本である」、原本でないと判断された場合には「原本でない」等と、表示部１０４に表示される。なお、照合結果の表示についてはこれに限定されず、例えば○×等の予め定められた記号で表示されてもよい。
【００４５】
なお、読み取り部１０５及び制御部１０１の構成は上記に限定されるものではなく、上記実施の形態または本変形例で示した構成と実質的に同一の構成、同一の作用効果を奏する構成又は同一の目的を達成することができる構成で置き換えてもよい。
【００４６】
次に、本実施の形態における紋様取得の処理のフローについて説明する。図７は、本実施の形態における紋様取得の処理のフローについて説明するための図である。
【００４７】
図７に示すように、読み取り部１０５は、地色情報検出のための読み取り走査を開始する（Ｓ１０１）。当該読み取り走査は、上記のように媒体全体を読み取る処理であってもよいし、媒体の予め定められた一部（サンプリング領域）の読み取る処理であってもよい。また、上記のように、当該読み取り走査は、媒体の移動により行われてもよいし、撮像センサ２０７の移動により行われてもよい。
【００４８】
地色情報取得部３０６は、上記読み取り走査に応じて読み取り部１０５で取得された画像情報に基づいて媒体の地色に相当する部分の輝度信号の輝度値を取得する。（Ｓ１０２）。
【００４９】
読み取り制御部３０５は、上記輝度値が予め定められた基準値以下である場合には、読み取り部１０５を通常モードで動作させるよう制御し、読み取り部１０５は、当該通常モードで画像情報を取得する（Ｓ１０３）。
【００５０】
紋様情報取得部３０７は、読み取り制御部３０５からの指示に応じ、読み取り部１０５により生成された画像情報に基づいて紋様情報を取得する（Ｓ１０４）。そして、紋様情報が取得された場合には処理を終了する。
【００５１】
一方、紋様情報が取得できなかった場合には、読み取り制御部３０５に、当該取得を通知する信号を送信し、読み取り制御部３０５は、当該信号に応じて、読み取り部１０５を紋様情報取得モードで動作させるよう制御し、読み取り部１０５は、再度紋様情報取得モードで画像情報を取得する（Ｓ１０５）。
【００５２】
また、読み取り制御部３０５は、上記輝度値が予め定められた基準値より大きい場合には、読み取り部１０５を紋様情報取得モードで動作させるよう制御し、読み取り部１０５は紋様情報取得モードで画像情報を取得する（Ｓ１０５）。
【００５３】
紋様情報取得部３０７は、紋様情報取得モードで取得された画像情報に基づいて、紋様情報を取得する（Ｓ１０６）。紋様情報が取得できた場合には、処理を終了する。一方、紋様情報を取得できなかった場合には、再度Ｓ１０５に戻り、再度紋様情報取得モードで画像情報を取得する。
【００５４】
なお、紋様情報の取得における処理のフローは、上記フローに限定されず、上記変形例で示したフローと実質的に同一のフロー、同一の作用効果を奏するフロー又は同一の目的を達成することができるフローで置き換えてもよい。
【００５５】
本発明は、上記実施の形態に限定されるものではなく、上記実施の形態で示した構成と実質的に同一の構成、同一の作用効果を奏する構成又は同一の目的を達成することができる構成で置き換えてもよい。
【００５６】
［変形例］
次に、本発明の変形例について説明する。本変形例では、主に、読み取り部１０５の構成が異なる。その他の点は、上記実施の形態と同様であり、同様である点については説明を省略する。
【００５７】
図８は、本変形例における読み取り部１０５の構成を説明するための図である。図８に示すように、読み取り部１０５は、ゲイン調整回路８０１、オフセット調整回路８０２、画像読み取り回路３０２、ＡＤ変換回路３０３、画像処理部３０４を有する。
【００５８】
ゲイン調整回路８０１は、画像読み取り回路３０２をゲイン調整する。具体的には、例えば、図９に示すように、紋様情報取得モードの際には、当該ゲイン調整に用いるゲイン調整値を、通常モードよりも大きい値を有するように設定する。
【００５９】
オフセット調整回路８０２は、画像読み取り回路３０２をオフセット調整する。具体的には、例えば、図９に示すように、紋様情報取得モードの際には、当該オフセット調整に用いるオフセット調整値を、通常モードよりも大きい値を有するように設定する。
【００６０】
なお、図９は、画像読み取り回路３０２からの出力電気信号の有する電圧値と紋様情報の情報量との関係を説明するための図である。図９に示した出力電気信号は、ゲイン調整及びオフセット調整されていない状態を示すものとする。図９に示すように、紋様情報取得モードのゲイン調整値及びオフセット調整値は、紋様情報を全て含むように、かつ、通常モードのゲイン調整値及びオフセット調整値よりもそれぞれ大きな値を有するように設定される。また、通常モードと紋様情報取得モードのゲイン調整値の差は、通常モードと紋様情報取得モードのオフセット調整値の差よりも小さい。なお、上記ゲイン調整値及びオフセット調整値は、例えば、操作部１０３を介してユーザーにより指定されてもよいし、ゲイン調整回路８０１またはオフセット調整回路８０２に予め設定される構成であってもよい。または、上記取得された地色情報に基づいて設定する構成であってもよい。
【００６１】
画像読み取り回路３０２は、例えば、撮像センサ２０７及び増幅回路（図示なし）を含む。撮像センサ２０７は、媒体の表面からの反射光を電気信号（アナログ信号）に変換し、増幅回路は、当該変換された電気信号を当該増幅回路により増幅してＡＤ変換回路３０３に出力する。この際、当該増幅回路は、上記ゲイン調整回路８０１及びオフセット調整回路８０２によりゲイン及びオフセット調整される。なお、上記においては、増幅回路がゲイン調整及びオフセット調整される構成としたが、直接撮像センサ２０７がゲイン調整及びオフセット調整される構成としてもよい。
【００６２】
ＡＤ変換回路３０３は、当該画像読み取り回路３０２から出力される電気信号を量子化する。具体的には、例えば、当該電気信号を８ビット（０から２５５）の階調レベルで表される輝度信号に変換する。このとき、当該電気信号は、上記のように通常モードまたは紋様情報取得モードかに応じてゲイン調整及びオフセット調整された画像読み取り回路３０２から出力され、当該電気信号が輝度信号に変換される。具体的には、紋様情報取得モードにおける輝度信号に含まれる紋様情報の情報量が、通常モードにおける輝度信号に含まれる紋様情報の情報量よりも多くなるようにゲイン及びオフセット調整される。
【００６３】
本発明は、上記実施の形態または変形例に限定されるものではなく、上記実施の形態で示した構成と実質的に同一の構成、同一の作用効果を奏する構成又は同一の目的を達成することができる構成で置き換えてもよい。例えば、読み取り制御部３０５は、読み取り部１０５の画像処理部３０４の処理を紋様情報取得モード及び通常モードで異なるよう構成してもよい。具体的には、例えば、通常モードでは、上述のドット状のノイズを除去する処理を行うが、紋様情報取得モードにおいては画像処理部３０４の当該処理を行わない構成としてもよい。なお、特許請求の範囲に記載の画像情報生成部は、例えば、読み取り部１０５に相当し、動作態様制御部は、例えば、読み取り制御部３０５に相当する。
【符号の説明】
【００６４】
１００，１００Ａ  画像処理装置、１０１  制御部、１０２  記憶部、１０３  操作部、１０４  表示部、１０５  読み取り部、１０６  プリンタ部、１０７  通信部、１０８  ネットワーク、１０９  内部バス、２０１  搬送部、２０２  コンタクトガラス、２０３乃至２０５  第１乃至第３のミラー、２０６  レンズ、２０７  撮像センサ、２０８  光源、２０９  引き込みローラ、２１０  搬送ローラ、２１１  排出ローラ、２１２  媒体、２１４  読み取りライン、３０１  照明光制御回路、３０２  画像読み取り回路、３０３  ＡＤ変換回路、３０４  画像処理部、３０５  読み取り制御部、３０６  地色情報取得部、３０７  紋様情報取得部、３０８  出力部、３０９  照合部、６０１  領域（サンプリング領域）、８０１  ゲイン調整回路、８０２  オフセット調整回路。
【図１】
0005652111.tif 000002
【図２】
0005652111.tif 000003
【図３】
0005652111.tif 000004
【図４】
0005652111.tif 000005
【図５】
0005652111.tif 000006
【図６】
0005652111.tif 000007
【図７】
0005652111.tif 000008
【図８】
0005652111.tif 000009
【図９】
0005652111.tif 000010